(57)【要約】【課題】携帯端末装置において、着信時に発信者の情報などを表示可能とする。【解決手段】着信信号受信手段１１は、発信者番号、発信者情報、及び鳴動種別情報を含む着信信号を受信する。画像生成手段１２は、着信信号に基づいて、発信者情報の少なくとも一部を文字情報として含む発信者情報画像を生成する。電話帳登録手段１３は、発信者番号、発信者テキスト情報、及び発信者情報画像を、電話帳１４に登録する。着信画面表示手段１５は、発信者番号を受け取り、受け取った発信者番号に対応して登録されている発信者テキスト情報及び発信者情報画像を電話帳１４から取得する。着信画面表示手段は、取得した発信者テキスト情報及び発信者情報画像を含む着信画面を表示する。【選択図】図１
2020161967.tif 000002
【特許請求の範囲】
【請求項１】
電話着信があった場合に、発信者番号、発信者情報、及び鳴動種別情報を含む着信信号を受信する着信信号受信手段と、
前記着信信号受信手段が受信した着信信号に基づいて、前記着信信号に含まれる前記発信者情報の少なくとも一部を文字情報として含む発信者情報画像を生成する画像生成手段と、
前記発信者情報及び前記鳴動種別情報の少なくとも一方に基づいて発信者テキスト情報を生成し、前記発信者番号、前記発信者テキスト情報、及び前記発信者情報画像を、携帯端末装置内で管理される電話帳に登録する電話帳登録手段と、
前記発信者番号を受け取り、該受け取った発信者番号に対応して登録されている前記発信者テキスト情報及び前記発信者情報画像を前記電話帳から取得し、前記発信者テキスト情報及び前記発信者情報画像を含む着信画面を表示する着信画面表示手段とを有する携帯端末装置。
【請求項２】
前記電話帳には、前記鳴動種別情報に対応した複数の電話帳データテンプレートが登録されており、
前記電話帳登録手段は、前記複数の電話帳データテンプレートから前記着信信号に含まれる前記鳴動種別情報に対応する電話帳データテンプレートを選択し、該選択した電話帳データテンプレートに前記発信者番号、前記発信者テキスト情報、及び前記発信者情報画像を登録する請求項１に記載の携帯端末装置。
【請求項３】
前記複数の電話帳データテンプレートのそれぞれには、個別に着信音設定がなされている請求項２に記載の携帯端末装置。
【請求項４】
前記電話帳登録手段は、電話着信に対する通話の終了後、前記電話帳データテンプレートから前記登録した前記発信者番号、前記発信者テキスト情報、及び前記発信者情報画像を削除する請求項２又は３に記載の携帯端末装置。
【請求項５】
前記画像生成手段は、前記鳴動種別情報に応じた表示色で、前記発信者情報画像を生成する請求項１から４何れか１項に記載の携帯端末装置。
【請求項６】
前記発信者情報は、発信者の名称、及び電話着信に対応する呼出しが発生した場所を示す情報の少なくとも一方を含む請求項１から５何れか１項に記載の携帯端末装置。
【請求項７】
前記電話着信は、ナースコールシステムにおけるナースコール子機からの着信であり、前記発信者情報は、発信者の名称、前記ナースコール子機が設置される場所を示す情報、及び前記発信者の診療科目を示す情報の少なくとも１つを含む請求項１から５何れか１項に記載の携帯端末装置。
【請求項８】
前記着信画面表示手段の機能は、通話機能を使用するアプリケーション間の競合を管理する機能、及びセキュリティロック中の着信を可能とする機能を提供するフレームワークの機能の一部として提供される請求項１から７何れか１項に記載の携帯端末装置。
【請求項９】
電話着信があった場合に、発信者番号、発信者情報、及び鳴動種別情報を含む着信信号を受信し、
前記受信した着信信号に基づいて、前記着信信号に含まれる前記発信者情報の少なくとも一部を文字情報として含む発信者情報画像を生成し、
前記発信者情報及び前記鳴動種別情報の少なくとも一方に基づいて発信者テキスト情報を生成し、
前記発信者番号、前記発信者テキスト情報、及び前記発信者情報画像を、携帯端末装置内で管理される電話帳に登録し、
前記発信者番号に対応して登録されている前記発信者テキスト情報及び前記発信者情報画像を前記電話帳から取得し、前記発信者テキスト情報及び前記発信者情報画像を含む着信画面を表示する着信画面表示方法。
【請求項１０】
電話着信があった場合に、発信者番号、発信者情報、及び鳴動種別情報を含む着信信号を受信し、
前記受信した着信信号に基づいて、前記着信信号に含まれる前記発信者情報の少なくとも一部を文字情報として含む発信者情報画像を生成し、
前記発信者情報及び前記鳴動種別情報の少なくとも一方に基づいて発信者テキスト情報を生成し、
前記発信者番号、前記発信者テキスト情報、及び前記発信者情報画像を、携帯端末装置内で管理される電話帳に登録し、
前記電話帳から情報を取得して着信画面を生成し、該着信画面を表示するフレームワークに、前記発信者番号に対応して登録されている前記発信者テキスト情報及び前記発信者情報画像を前記電話帳から取得させ、前記発信者テキスト情報及び前記発信者情報画像を含む着信画面を表示させる処理をプロセッサに実行させるプログラム。
【発明の詳細な説明】
【技術分野】
【０００１】
本開示は、携帯端末装置、着信画面表示方法、及びプログラムに関し、更に詳しくは、内線電話の通話に使用される携帯端末装置、並びにそのような携帯端末装置における着信画面表示方法及びプログラムに関する。
【背景技術】
【０００２】
ナースコール子機と、医師及び看護師などの医療従事者などが携帯する携帯端末装置との間で通話を可能にするナースコールシステムが知られている。ナースコールシステムは、ナースコール子機（呼出ボタン）、ナースコール親機、構内交換機（ＰＢＸ：Private Branch eXchanger）、及びＰＢＸ配下のＰＨＳ（Personal Handy-phone System）端末を含む。看護師は、ＰＨＳ端末を所持し、患者のナースコール呼び出しに対応する。ナースコール呼出しがあった場合、ＰＨＳ端末は患者名や内線番号を表示する。その場合、看護師は、どこからの呼出しであるかを認識した上で、呼出しに対して対応することができる。
【０００３】
一方、Ｗｉ−Ｆｉの電波環境の改善、電子カルテとの連携、及びＰＨＳ事業の縮小などに伴い、看護師が所持する端末をＰＨＳ端末からスマートフォンに置き換え、スマートフォンを用いてナースコールに対応したいとの要望が多くなっている。また、医療従事者からは、携帯端末装置側での着信時に、例えば患者の症状に関する患者情報を含んだ着信画面を携帯端末に表示させてほしいとのニーズがある。これに関連して、特許文献１は、スマートフォンなどの携帯端末装置が用いられるナースコールシステムを開示する。
【０００４】
特許文献１において、患者は、ナースコール子機に設けられた呼出ボタンを押すことで、医療従事者を呼び出す。ナースコール子機は、患者が呼出ボタンを押すと、呼出信号を出力する。ナースコール制御機は、呼出ボタンが押されたナースコール子機を識別し、患者情報テーブルを参照して患者名を取得する。ナースコール制御機は、呼出信号と患者名とを、携帯端末装置に送信する。携帯端末装置は、ナースコール子機の内線番号、及び患者名を含む呼出画面を表示画面上に表示する。
【０００５】
特許文献１では、電話帳サーバを用い、着信画面が作成される。電話帳サーバは、呼出ボタンを押した患者の患者情報を受信する。電話帳サーバは、受信した患者情報を内線番号に対応付け、電話帳テーブルに記録する。電話帳サーバは、電話帳テーブルに記録された患者情報に基づいて着信画面を生成し、記録する。着信画面は、患者名、内線番号、診療科目、及び救護区分を含む。電話帳サーバは、記録した着信画面にアクセス可能なＵＲＬ（uniform resource locator）情報を携帯端末装置に向けて送信する。携帯端末装置は、ＵＲＬ情報に基づいて電話帳サーバから着信画面を取得し、着信画面と呼出画面とを組み合わせて表示画面上に表示する。
【先行技術文献】
【特許文献】
【０００６】
【特許文献１】特開２０１８−８６１４９号公報
【発明の概要】
【発明が解決しようとする課題】
【０００７】
ここで、通常の環境では、各内線番号は、それぞれの利用者に固定的に利用されていることが多い。このため、内線番号に付随する利用者情報（氏名、及びメールアドレスなど）の管理において、各内線番号に対応する利用者情報が頻繁に変更されるユースケースは少ない。しかしながら、医療現場では、患者の状況におじて入退院や病室移動などが発生する。このため、内線番号の固定的な運用はできない。
【０００８】
ナースコールシステムにおいて、仮に、発信者の内線番号と患者情報との組み合わせを端末ごとに管理し、組み合わせが更新されるたびに端末内の情報を更新するとした場合、各端末において頻繁に情報を更新する必要がある。従って、スマートフォン端末をナースコール着信端末として利用する場合、ナースコールシステムには、システム要件として、発信者の内線番号と患者情報との組み合わせを不定期で変更でき、その患者情報が即時に更新及び反映できることが要求される。この要件については、ナースコール着信端末が、ナースコール親機及びＰＢＸと連動している共有電話帳と連携することで、要件を満たすシステムを実現できる。
【０００９】
また、ナースコール着信端末には、ナースコール着信に対し、呼出元の患者の患者情報を表示する機能が望まれる。例えば、医療従事者は、ナースコール着信端末に患者情報が表示されている場合は、ナースコール着信に応答するときに、どのような患者から呼び出しがあったかを知った上で応対することができる。特許文献１では、電話帳サーバを用いて着信画面を生成し、携帯端末装置は着信時に電話帳サーバから着信画面を取得し、表示部に表示する。このようにすることで、医療従事者の業務効率を向上できる。
【００１０】
ところで、スマートフォン端末は、Ａｐｐｌｅ社が販売しているｉＰｈｏｎｅ（登録商標）と、Ｇｏｏｇｌｅ社がＯＳ（Operating System）の基本骨子を策定し、そのＯＳに対応可能な端末を各社が販売しているＡｎｄｒｏｉｄ（登録商標）とに大別される。上記２つの端末のうち、ｉＰｈｏｎｅ端末は、医療現場での需要が特に高い。
【００１１】
ｉＰｈｏｎｅ端末をナースコール着信端末として用いる場合、ｉＰｈｏｎｅ端末上で、ナースコール通話を行うためのＶｏＩＰ（Voice over Internet Protocol）アプリケーションを動作させればよい。しかし、本発明者らは、ｉＰｈｏｎｅ端末をナースコール着信用端末として用いることを検討した際に、ＯＳの制約に起因して、着信画面に自由に患者情報を表示できないことを発見した。
【００１２】
ｉＰｈｏｎｅ端末にはＯＳに電話機能アプリケーションが既設されており、そのアプリケーションの通話における発着信制御を“ＣａｌｌＫｉｔ”が行っている。ナースコール通話を行うためのＶｏＩＰアプリケーション（以下、独自のＶｏＩＰアプリケーションとも呼ぶ）も、発着信制御にＣａｌｌＫｉｔを利用することができる。ただし、ＣａｌｌＫｉｔを利用した場合、着信画面はＣａｌｌＫｉｔの着信画面となる。ＣａｌｌＫｉｔには、その着信画面に表示できる文字情報に制限があるという制約がある。また、ＣａｌｌＫｉｔには、その着信画面において背景色を変更することはできないという制約がある。
【００１３】
独自のＶｏＩＰアプリケーションがＣａｌｌＫｉｔを利用しない場合、着信画面を自由に作成することができ、ナースコール着信時に、着信画面に患者情報を表示することができる。しかしながら、ＣａｌｌＫｉｔを利用しない場合、独自のＶｏＩＰアプリケーション通話時に、ＯＳの電話機能アプリケーションで着信が発生すると、ＯＳの電話機能アプリケーションが優先され、通話が途切れることになる。また、端末セキュリティロック時に着信を受けた場合、ユーザはまずセキュリティロックを解除する必要があり、ユーザビリティが著しく低下する。このように、他の通話アプリケーションと競合動作管理、及び端末セキュリティロック時の着信応答のため、独自のＶｏＩＰアプリケーションの運用にはＣａｌｌＫｉｔの利用が必須である。
【００１４】
特許文献１では、独自の着信画面を表示部に表示しており、ＣａｌｌＫｉｔのような他の通話アプリケーションと競合動作管理、及び端末セキュリティロック時の着信応答のため機能（フレームワーク）をナースコールの着信に利用することはできない。従って、ナースコール着信において、そのようなフレームワークを利用しつつ、患者情報などの表示を可能とする仕組みが要望される。
【００１５】
本開示は、上記事情に鑑み、発信元番号と発信者との組み合わせが変更され得る状況においても、着信時に発信者の情報などを表示可能な携帯端末装置、着信画面表示方法、及びプログラムを提供することを目的とする。
【課題を解決するための手段】
【００１６】
上記目的を達成するために、本開示は、電話着信があった場合に、発信者番号、発信者情報、及び鳴動種別情報を含む着信信号を受信する着信信号受信手段と、前記着信信号受信手段が受信した着信信号に基づいて、前記着信信号に含まれる前記発信者情報の少なくとも一部を文字情報として含む発信者情報画像を生成する画像生成手段と、前記発信者情報及び前記鳴動種別情報の少なくとも一方に基づいて発信者テキスト情報を生成し、前記発信者番号、前記発信者テキスト情報、及び前記発信者情報画像を、携帯端末装置内で管理される電話帳に登録する電話帳登録手段と、前記発信者番号を受け取り、該受け取った発信者番号に対応して登録されている前記発信者テキスト情報及び前記発信者情報画像を前記電話帳から取得し、前記発信者テキスト情報及び前記発信者情報画像を含む着信画面を表示する着信画面表示手段を有する携帯端末装置を提供する。
【００１７】
本開示は、また、電話着信があった場合に、発信者番号、発信者情報、及び鳴動種別情報を含む着信信号を受信し、前記受信した着信信号に基づいて、前記着信信号に含まれる前記発信者情報の少なくとも一部を文字情報として含む発信者情報画像を生成し、前記発信者情報及び前記鳴動種別情報の少なくとも一方に基づいて発信者テキスト情報を生成し、前記発信者番号、前記発信者テキスト情報、及び前記発信者情報画像を、携帯端末装置内で管理される電話帳に登録し、前記発信者番号に対応して登録されている前記発信者テキスト情報及び前記発信者情報画像を前記電話帳から取得し、前記発信者テキスト情報及び前記発信者情報画像を含む着信画面を表示する着信画面表示方法を提供する。
【００１８】
本開示は、更に、電話着信があった場合に、発信者番号、発信者情報、及び鳴動種別情報を含む着信信号を受信し、前記受信した着信信号に基づいて、前記着信信号に含まれる前記発信者情報の少なくとも一部を文字情報として含む発信者情報画像を生成し、前記発信者情報及び前記鳴動種別情報の少なくとも一方に基づいて発信者テキスト情報を生成し、前記発信者番号、前記発信者テキスト情報、及び前記発信者情報画像を、携帯端末装置内で管理される電話帳に登録し、前記電話帳から情報を取得して着信画面を生成し、該着信画面を表示するフレームワークに、前記発信者番号に対応して登録されている前記発信者テキスト情報及び前記発信者情報画像を前記電話帳から取得させ、前記発信者テキスト情報及び前記発信者情報画像を含む着信画面を表示させる処理をプロセッサに実行させるプログラムを提供する。
【発明の効果】
【００１９】
本開示に係る携帯端末装置、着信画面表示方法、及びプログラムは、発信元番号と発信者との組み合わせが変更され得る状況において、着信時に発信者の情報などを表示することがでる。
【図面の簡単な説明】
【００２０】
【図１】本開示に係る携帯端末装置の概略的な構成を示すブロック図。
【図２】本開示の第１実施形態に係る携帯端末装置を含む電話システムを示すブロック図。
【図３】携帯端末装置の論理的な構成を示すブロック図。
【図４】着信音設定の一例を示す図。
【図５】着信画面の表示例を示す図。
【図６】ナースコール着信時の動作手順を示すフローチャート。
【図７】携帯端末装置の物理的な構成を示すブロック図。
【発明を実施するための形態】
【００２１】
本開示の実施の形態の説明に先立って、本開示の概要を説明する。図１は、本開示に係る携帯端末装置の概略的な構成を示す。携帯端末装置１０は、着信信号受信手段１１、画像生成手段１２、電話帳登録手段１３、及び着信画面表示手段１５を有する。着信信号受信手段１１は、電話着信があった場合に、着信信号を受信する。着信信号は、発信者番号、発信者情報、及び鳴動種別情報を含む。
【００２２】
画像生成手段１２は、着信信号受信手段１１が受信した着信信号に基づいて、発信者情報画像を生成する。発信者情報画像は、着信信号に含まれる発信者情報の少なくとも一部を文字情報として含む画像である。電話帳登録手段１３は、着信信号に含まれる発信者情報及び鳴動種別情報の少なくとも一方に基づいて発信者テキスト情報を生成する。電話帳登録手段１３は、着信信号に含まれる発信者番号と、発信者テキスト情報と、発信者情報画像とを、携帯端末装置１０内で管理される電話帳１４に登録する。
【００２３】
着信画面表示手段１５は、発信者番号を受け取り、受け取った発信者番号に対応して登録されている発信者テキスト情報及び発信者情報画像を電話帳１４から取得する。着信画面表示手段１５は、発信者テキスト情報及び発信者情報画像を含む着信画面を携帯端末装置の表示画面上に表示し、ユーザに着信を知らせる。
【００２４】
本開示では、画像生成手段１２は、着信信号に基づいて、発信者情報画像を生成する。電話帳登録手段１３は、電話帳１４に発信者テキスト情報及び発信者情報画像を登録する。着信画面表示手段１５は、着信画面において、発信者テキスト情報及び発信者情報画像を表示する。本開示では、発信者の情報が、画像情報として着信画面に表示される。例えば、携帯端末装置１０がナースコールシステムにおけるナースコール着信端末として用いられる場合、発信者番号と発信者との組み合わせが頻繁に変更され得る。本開示では、このような状況においても、着信時に発信者の情報などを画像情報として表示でき、着信を受けたユーザは、誰からの着信であるかを容易に知ることができる。
【００２５】
具体的に、携帯端末装置１０がナースコール着信端末として用いられ、かつ携帯端末装置１０に、Ａｐｐｌｅ社製のｉＰｈｏｎｅが用いられた場合を考える。ナースコール着信端末が通話などに使用されていない場合、他人が勝手に利用できないようにするために、ナースコール着信端末はセキュリティロックがかけられる。セキュリティロック中にナースコール着信があった場合に、セキュリティロックを解除せずに着信に応答するためには、ナースコール用のアプリケーションはＣａｌｌＫｉｔを利用する必要がある。図１において、着信画面表示手段１５の機能は、例えばＣａｌｌＫｉｔが提供する機能の一部に相当する。
【００２６】
ＣａｌｌＫｉｔは、電話帳に登録された情報を取得して着信画面を表示する。このため、ナースコール着信端末に、ナースコール呼出しをした患者名などの情報を表示するためには、ＯＳ配下の電話帳アプリケーション（連絡先）に、ナースコール子機の「発信元番号」及び「患者名」を登録する必要がある。「連絡先」は、図１の電話帳１４に対応する。しかしながら、患者の病室（ベッド）は頻繁に変更になることがある。ナースコール着信端末に、患者名を表示するためには、変更のたびに、全ての医療従事者が所持するナースコール着信端末の「連絡先」に登録された「発信元番号」及び「患者名」を更新する必要がある。本開示では、着信信号に含まれる発信者情報を用いて発信者情報画像が生成され、電話帳１４に登録される。このようにすることで、全ての医療従事者が所持するナースコール着信端末の「連絡先」に登録された「発信元番号」及び「患者名」を更新しなくても、ナースコール着信端末に、患者名などの情報を表示することができる。
【００２７】
以下、図面を参照しつつ、本開示の実施の形態を説明する。図２は、本開示の一実施形態に係る電話システムを示す。本実施形態において、電話システムは、ナースコール（ＮＣ：Nurse Call）システムとして構成される。ＮＣシステム１００は、ＮＣ子機１０１、ＮＣ親機１０２、ＮＣ制御機１０３、構内交換機１０４、アクセスポイント１０５、及び携帯端末装置１５０を有する。
【００２８】
ＮＣ子機１０１は、患者が医療従事者を呼び出す場合に使用される機器である。ＮＣ子機１０１は、呼出ボタン、スピーカ、及びマイクなどを含む。ＮＣ子機１０１は、例えば病室、病室内の各ベッド、浴室、及びトイレなどに配置される。ＮＣ子機１０１は、患者が呼出ボタンを押した場合、呼出信号をナースコール制御機１０３に送信する。なお、図２ではＮＣ子機１０１が３台図示されているが、本開示はこれには限定されない。ＮＣシステム１００は、任意の数のＮＣ子機１０１を含んでいてもよい。
【００２９】
ＮＣ親機１０２は、ナースステーションなどに設置されており、ＮＣ子機１０１からの呼出しに応答可能に構成されている。ナースコール親機１０２は、例えば、呼出しに応答するためのハンドセット、患者情報が表示される小型モニタ、及び各患者の詳細情報が一覧表示される大型モニタを有する。ＮＣ子機１０１及びＮＣ親機１０２は、一般的なＮＣシステムで用いられているＮＣ子機及びＮＣ親機と同様でよい。
【００３０】
構内交換機１０４は、ＮＣ子機１０１と携帯端末装置１５０との通話接続、及びＮＣ親機１０２と携帯端末装置１５０との通話接続などを管理するための機器である。構内交換機１０４は、例えば病院内に設置されている。アクセスポイント１０５は、構内交換機１０４と有線通信で接続され、携帯端末装置１５０と無線通信で接続される。アクセスポイント１０５は、無線送受信機、及びアンテナなどを含む。アクセスポイント１０５は、例えば、病院内の各所に配置されている。携帯端末装置１５０は、構内交換機１０４に登録されており、アクセスポイント１０５を通じて構内交換機１０４との間で信号を送受信することができる。
【００３１】
ＮＣ制御機１０３は、ＮＣ子機１０１と各機器との間の通信を制御する。例えば、ＮＣ制御機１０３は、ＮＣ子機１０１からナースコールが発信された場合、ＮＣ子機１０１とＮＣ親機１０２との間の通信を制御する。また、ＮＣ制御機１０３は、ＮＣ子機１０１と携帯端末装置１５０との間の通信を制御する。ＮＣ制御機１０３は、ＮＣ親機１０２と一体に構成されていてもよい。
【００３２】
ＮＣ制御機１０３は、ＮＣ子機１０１が配置される場所を管理する。また、ＮＣ制御機１０３は、ＮＣ子機１０１がベッドサイドに配置される場合、ＮＣ子機１０１がどの患者が使用する子機であるかを管理する。ＮＣ制御機１０３は、ＮＣ子機１０１からナースコール呼出しがあった場合、どのＮＣ子機１０１から呼出しがあったかを識別する。また、ＮＣ制御機１０３は、ナースコール呼出しをした患者の名前（発信者名）、及びどこからナースコール呼出しがあったかを識別する。
【００３３】
ＮＣ制御機１０３は、ナースコール呼出しがあった場合、発信者番号（内線番号）、患者情報（発信者情報）、及び鳴動種別情報を含む着信信号を、携帯端末装置１５０に送信する。携帯端末装置１５０は、構内交換機１０４及びアクセスポイント１０５を介して、着信信号を受信する。
【００３４】
ここで、患者情報は、例えば、患者名、及びナースコール呼出しが発生した場所を示す情報の少なくとも一方を含む。患者情報は、上記に代えて、又は加えて、患者の診療科目を示す情報を含んでいてもよい。鳴動種別情報は、ナースコール呼出し（ナースコール着信）である旨を示す情報を含む。ＮＣ制御機１０３は、ナースコール呼出しの緊急度に応じて、鳴動種別情報を変化させてもよい。ＮＣ制御機１０３は、例えば、患者の診療科目、及び／又はＮＣ子機１０１の配置場所に基づいて、ナースコール呼出しの緊急度を判断してもよい。
【００３５】
図３は、携帯端末装置１５０の論理構成を示す。ここでは、携帯端末装置１５０は、Ａｐｐｌｅ社製のｉＰｈｏｎｅ端末であるとする。携帯端末装置１５０には、ナースコール着信対応ＶｏＩＰアプリケーション（以下、独自アプリとも呼ぶ）１５２がインストールされている。携帯端末装置１５０において、独自アプリ１５２、ＣａｌｌＫｉｔ１５３、及び電話帳１５４は、ＯＳ１５１上で動作する。携帯端末装置１５０は、図１の携帯端末装置１０に対応する。
【００３６】
独自アプリ１５２は、ＮＣ着信処理部１５５を有する。ＮＣ着信処理部１５５は、着信信号受信部１５６、登録データ生成部１５７、電話帳操作部１５８、及びＣａｌｌＫｉｔ操作部１５９を有する。なお、図示は省略しているが、独自アプリ１５２は、ＮＣ子機１０１及びＮＣ親機１０２と通話する機能（処理部）など、他の機能も有している。
【００３７】
着信信号受信部１５６は、ネットワークインタフェース（ＮＷＩ／Ｆ）１６０を介して、ＮＣ制御機１０３から送信された着信信号を受信する。着信信号受信部１５６は、着信信号がナースコール呼出しの着信信号であった場合、着信信号に含まれる発信者番号、患者情報、及び鳴動種別情報を登録データ生成部１５７に渡す。着信信号受信部１５６は、図１の着信信号受信手段１１に対応する。
【００３８】
登録データ生成部１５７は、着信信号受信部１５６から受け取った情報に基づいて、電話帳１５４へ登録される登録データを生成する。登録データの生成は、患者情報画像（発信者情報画像）の生成を含む。登録データ生成部１５７は、着信信号に含まれる患者情報の少なくとも一部を文字情報として含む画像を、患者情報画像として生成する。登録データ生成部１５７は、図１の画像生成手段１２に対応する手段を含む。
【００３９】
登録データ生成部１５７は、例えば、着信信号に含まれる鳴動種別情報に応じて、患者情報画像の特徴を変化させてもよい。例えば、登録データ生成部１５７は、鳴動種別情報に応じた表示色で、患者情報画像を生成してもよい。例えば、登録データ生成部１５７は、鳴動種別情報が緊急度が低いことを示す場合、画像の背景色を黒色とする患者情報画像を生成する。登録データ生成部１５７は、鳴動種別情報が緊急度が高いことを示す場合、画像の背景色を赤色とする患者情報画像を生成する。このようにすることでナースコール着信を受けたユーザは、画像の色に基づいて、緊急度を判断することができる。
【００４０】
電話帳操作部１５８は、電話帳（連絡先）１５４の登録データを操作する。電話帳１５４には、番号、名称、及び画像の組が登録可能である。また、電話帳１５４において、各電話帳データには、個別に着信音が設定可能である。電話帳操作部１５８は、患者情報及び鳴動種別情報の少なくとも一方に基づいて、電話帳に登録される名称を表すテキスト（発信者テキスト情報）を生成する。電話帳操作部１５８は、例えば患者情報を参照し、患者名、又はナースコール呼出しが発生した場所を表すテキスト情報を、発信者テキスト情報として生成する。あるいは、電話帳操作部１５８は、鳴動種別情報を参照し、緊急度を表すテキスト情報を、発信者情報として生成する。電話帳操作部１５８は、患者名などを表すテキスト情報と、緊急度を表すテキスト情報とを結合したテキスト情報を、発信者テキスト情報として生成してもよい。
【００４１】
電話帳操作部１５８は、電話帳データの「番号」に、着信信号に含まれる発信者番号を登録する。電話帳操作部１５８は、電話帳データの「名称」に、患者情報及び鳴動種別情報の少なくとも一方に基づいて生成した発信者テキスト情報（文字列）を登録する。電話帳操作部１５８は、電話帳データの「画像」に、登録データ生成部１５７が生成した患者情報画像を登録する。電話帳操作部１５８は、図１の電話帳登録手段１３に対応する。
【００４２】
電話帳操作部１５８は、例えば初回の独自アプリ１５２の起動時に、複数の電話帳データのテンプレートを電話帳１５４に登録する。このとき、電話帳操作部１５８は、鳴動種別情報のそれぞれに対応した複数のテンプレートを、電話帳１５４に登録する。ユーザは、電話帳アプリケーションを使用して、各テンプレートの着信音を設定する。ユーザは、着信音の設定では、携帯端末装置１５０に実装されている音源を指定することができる。「携帯端末装置１５０に実装されている音源」は、例えば、ｉＰｈｏｎｅ端末において「着信音」として選択可能な音源を指す。ユーザが、各テンプレートの着信を設定することで、各テンプレートに、個別に着信音設定がなされる。
【００４３】
図４は、着信音設定の一例を示す。ここでは、電話帳１５４においてＮｏ．１の電話帳データとして登録されたテンプレートは、鳴動種別情報「１」に対応したテンプレートであるとする。また、Ｎｏ．２の電話帳データとして登録されたテンプレートは、鳴動種別情報「２」に対応したテンプレートであるとする。Ｎｏ．３の電話帳データとして登録されたテンプレートは、鳴動種別情報「３」に対応したテンプレートであるとする。ユーザは、例えば、鳴動種別情報「１」に対応したテンプレートの着信音として、「着信音Ａ」を設定する。また、ユーザは、鳴動種別情報「２」に対応したテンプレートの着信音として「着信音Ｂ」を設定し、鳴動種別情報「３」に対応したテンプレートの着信音として「着信音Ｃ」を設定する。なお、着信音の設定は、実際には音が鳴らないバイブレータを用いた着信通知の設定も含む。
【００４４】
電話帳操作部１５８は、複数のテンプレートから、着信信号に含まれる鳴動種別情報に対応するテンプレートを選択し、選択したテンプレートに、発信者番号、発信者テキスト情報、及び患者情報画像を登録する。電話帳操作部１５８は、例えば鳴動種別情報が「１」であった場合、Ｎｏ．１の電話帳データとして登録されたテンプレートを選択する。電話帳操作部１５８は、Ｎｏ．１の電話帳データに、発信者番号、発信者テキスト情報、及び患者情報画像を登録する。電話帳操作部１５８は、鳴動種別情報が「３」であった場合、Ｎｏ．３の電話帳データとして登録されたテンプレートを選択する。その場合、電話帳操作部１５８は、Ｎｏ．３の電話帳データに、発信者番号、発信者テキスト情報、及び患者情報画像を登録する。電話帳操作部１５８は、ナースコール着信に対する通話の終了後、電話帳１５４において、テンプレートから登録した情報を削除してもよい。その場合、通話の終了後、テンプレートが初期化される。
【００４５】
ＣａｌｌＫｉｔ操作部１５９は、電話帳操作部１５８が情報を電話帳１５４に登録した後、ＣａｌｌＫｉｔ１５３に発信者番号を通知し、着信を通知する。ＣａｌｌＫｉｔ１５３は、ＯＳ１５１において、通話機能を使用するアプリケーション間の競合を管理する機能、セキュリティロック中の着信を可能とする機能、及び着信画面を表示する機能を提供するフレームワークである。ＣａｌｌＫｉｔ１５３は、着信が通知されると、電話帳１５４から、発信者番号に対応して登録された発信者テキスト情報、及び発信者画像（患者情報画像）を取得する。また、発信者番号に対して設定された着信音を取得する。ＣａｌｌＫｉｔ１５３は、外部インタフェース（外部Ｉ／Ｆ）１６１を通じて、取得した発信者テキスト情報及び患者情報画像を含む着信画面を表示画面上に表示する。また、ＣａｌｌＫｉｔ１５３は、外部Ｉ／Ｆ１６１を通じて、取得した着信音をスピーカから出力する。
【００４６】
図５は、着信画面の表示例を示す。着信画面２００において、領域２０１は、電話帳１５４において「名称」に登録された情報（文字列）が表示される領域である。電話帳操作部１５８は、例えば、文字列「ナースコール」と、ナースコールがあったベッド番号、及び患者名などを組み合わせた文字列を、発信者テキスト情報として生成する。電話帳操作部１５８は、生成した発信者テキスト情報を、電話帳１５４の「名称」に登録する。発信者テキスト情報の文字数が領域２０１に表示可能な文字数を超える場合、発信者テキスト情報は、領域２０１においてスクロールして表示される。
【００４７】
着信画面２００において、領域２０２は、電話帳１５４において発信者画像として登録された画像が表示される領域である。登録データ生成部１５７は、例えば、文字列「ナースコール」と、ナースコールがあったベッド番号と、患者名と、内線番号とを組み合わせた文字列を画像情報として含む画像を、患者情報画像として生成する。また、登録データ生成部１５７は、患者情報画像の生成では、鳴動種別情報に応じて背景色を変化させる。例えば、登録データ生成部１５７は、鳴動種別情報が緊急度「高」を示す場合、患者情報画像の背景色を赤色にする。登録データ生成部１５７は、鳴動種別情報が緊急度「低」を示す場合、患者情報画像の背景色を黒色にする。電話帳操作部１５８は、登録データ生成部１５７が生成した患者情報画像を、電話帳１５４の「画像」に登録する。
【００４８】
続いて、動作手順を説明する。図６は、携帯端末装置１５０におけるナースコール着信時の動作手順（着信画面表示方法）を示す。ＮＣ子機１０１の呼出ボタンが操作されると、ＮＣ制御機１０３は、発信者番号、患者情報、及び鳴動種別情報を識別し、それらの情報を構内交換機１０４に送信する。構内交換機１０４は、発信者番号、患者情報、及び鳴動種別情報を付随データとして含む着信信号を、アクセスポイント１０５を介して携帯端末装置１５０に送信する。
【００４９】
携帯端末装置１５０の独自アプリ１５２は、着信信号を受信する。独自アプリ１５２内のＮＣ着信処理部１５５の着信信号受信部１５６は、着信信号がナースコール着信を示すか否か否かを判断する（ステップＳ１）。着信信号受信部１５６は、ステップＳ１では、着信信号に含まれる鳴動種別情報に基づいて、着信信号がナースコール着信を示すか否かを判断する。着信信号受信部１５６は、着信信号がナースコール着信を示していないと判断した場合、処理を終了する。
【００５０】
着信信号受信部１５６は、ステップＳ１で着信信号がナースコール着信を示すと判断した場合、発信者番号、患者情報、及び鳴動種別情報を登録データ生成部１５７に渡す。登録データ生成部１５７は、発信者番号、患者情報、及び鳴動種別情報に基づいて、患者情報画像を生成する（ステップＳ２）。登録データ生成部１５７は、ステップＳ２では、例えば、発信者番号、及び表示したい患者情報を埋め込んだ画像を、患者情報画像として生成する。登録データ生成部１５７は、患者情報画像の生成では、例えば表示色などの画像の特徴を、鳴動種別情報に応じて変化させてもよい。その場合、ユーザは、鳴動種別を視覚的に判別しやすくなる。
【００５１】
電話帳操作部１５８は、患者情報、及び鳴動種別情報の少なくとも一方に基づいて、発信者テキスト情報を生成する（ステップＳ３）。電話帳操作部１５８は、ステップＳ３では、例えば、患者名と緊急度とを組み合わせたデータ（文字列）を、発信者テキスト情報として生成する。電話帳操作部１５８は、発信者テキスト情報に、発信者番号を含めてもよい。
【００５２】
電話帳操作部１５８は、ステップＳ２で生成された患者情報画像、及びステップＳ３で生成された発信者テキスト情報を、電話帳１５４に登録する（ステップＳ４）。電話帳操作部１５８は、ステップＳ４では、複数のテンプレートのうち、着信信号に含まれる鳴動種別情報に対応するテンプレートを選択する。電話帳操作部１５８は、選択したテンプレートの「名称」に発信者テキスト情報を登録し、「画像」に患者情報画像を登録する。
【００５３】
ＣａｌｌＫｉｔ操作部１５９は、電話帳１５４への登録が終了した後、ＣａｌｌＫｉｔ１５３に発信者番号を通知する（ステップＳ５）。ＣａｌｌＫｉｔ１５３は、電話帳１５４から、通知された着信番号に対応する「名称」、及「画像」のデータを取得し、着信画面を表示する（ステップＳ６）。ＣａｌｌＫｉｔ１５３は、ステップＳ６では、ステップＳ４で登録された発信者テキスト情報及び患者情報画像を電話帳１５４から取得し、着信画面に表示する（図５を参照）。また、ＣａｌｌＫｉｔ１５３は、電話帳データに対応する着信音設定を取得する（図４も参照）。ＣａｌｌＫｉｔ１５３は、着信音設定で設定された着信で、着信音を鳴らす。
【００５４】
本実施形態では、登録データ生成部１５７は、着信信号に含まれる患者情報などに基づいて、電話帳１５４に登録される患者情報画像を生成する。電話帳操作部１５８は、発信者テキスト情報を生成し、発信者テキスト情報及び患者情報画像を、電話帳１５４に登録する。ＣａｌｌＫｉｔ１５３は、電話帳１５４から発信者テキスト情報及び患者情報画像を取得し、発信者テキスト情報及び患者情報画像を着信画面に表示する。このようにすることで、ＣａｌｌＫｉｔ１５３を用いつつ、ナースコールの着信画面に患者の情報を表示することができる。本実施形態では、発信者番号と患者名などの情報の組み合わせが頻繁に変更されるシステムにおいても、全ての端末における登録情報の更新作業を必要とせず、着信画面に表示される情報を動的に変更することができる。
【００５５】
ここで、着信画面２００（図５を参照）において、発信者テキスト情報が領域２０１に表示されるものの、領域２０１に表示できる文字には制限がある。本実施形態では、着信画面２００において、患者情報を画像情報として領域２０２に表示する。このようにすることで、より多くの情報をユーザに提示することができる。例えば、本実施形態では、患者情報画像の情報量が多い場合でも、着信画面において、スクロールせずに情報を表示することができる。このため、ユーザは、スクロールが終わるのを待つことなく、知りたい情報を得ることができる。また、本実施形態では、領域２０２に表示される患者情報画像の表示色を、鳴動種別情報に応じて変化させることができる。その場合、ユーザは、どの鳴動種別情報のナースコール着信であるかを表示色により知ることができる。
【００５６】
また、本実施形態では、鳴動種別情報に対応したテンプレートが電話帳１５４に用意される。電話帳１５４において、各テンプレートには、個別に着信音が設定可能である。電話帳操作部１５８は、着信信号に含まれる鳴動種別情報に対応したテンプレートに、発信者テキスト情報及び患者情報画像を登録する。ＣａｌｌＫｉｔ１５３は、ＶｏＩＰの着信音としてｉＰｈｏｎｅ端末のシステム着信音を利用する場合、発信者番号に紐づく電話帳データにおいて設定されている着信音しか鳴らすことができないという制約がある。本実施形態では、上記のようにすることで、ＣａｌｌＫｉｔ１５３を用いた着信を実現しつつ、鳴動種別情報に応じた着信音の鳴り分けを実現できる。
【００５７】
続いて、携帯端末装置１５０の物理構成を説明する。図７は、携帯端末装置１５０の物理構成を示す。携帯端末装置１５０は、プロセッサ５１０、記憶部５２０、ＲＯＭ（Read Only Memory）５３０、ＲＡＭ（Random Access Memory）５４０、通信インタフェース（ＩＦ：Interface）５５０、ユーザインタフェース５６０、マイク５７０、及びスピーカ５８０を有する。
【００５８】
通信インタフェース５５０は、無線通信手段を介して、アクセスポイント１０５（図２を参照）と携帯端末装置１５０を接続するためのインタフェースである。携帯端末装置１５０は、通信インタフェース５５０を介して、構内交換機１０４から着信信号を受信する。ユーザインタフェース５６０は、例えばディスプレイなどの表示装置を含む。表示装置は、タッチパネルとして構成されており、入力部を兼ねている。マイク５７０及びスピーカ５８０は、電話の通話において使用される。また、スピーカ５８０は、着信音の鳴動に用いられる。
【００５９】
記憶部５２０は、各種のデータを保持する。ＲＯＭ５３０は、不揮発性の記憶装置である。ＲＯＭ５３０には、例えば比較的容量が少ないフラッシュメモリなどの半導体記憶装置が用いられる。プロセッサ５１０が実行するプログラムは、記憶部５２０又はＲＯＭ５３０に格納され得る。
【００６０】
上記プログラムは、様々なタイプの非一時的なコンピュータ可読媒体を用いて格納され、携帯端末装置１５０に供給することができる。非一時的なコンピュータ可読媒体は、様々なタイプの実体のある記憶媒体を含む。非一時的なコンピュータ可読媒体の例は、例えばフレキシブルディスク、磁気テープ、又はハードディスクなどの磁気記録媒体、例えば光磁気ディスクなどの光磁気記録媒体、ＣＤ（compact disc）、又はＤＶＤ（digital versatile disk）などの光ディスク媒体、及び、マスクＲＯＭ、ＰＲＯＭ（programmable ROM）、ＥＰＲＯＭ（erasable PROM）、フラッシュＲＯＭ、又はＲＡＭなどの半導体メモリを含む。また、プログラムは、様々なタイプの一時的なコンピュータ可読媒体を用いてコンピュータに供給されてもよい。一時的なコンピュータ可読媒体の例は、電気信号、光信号、及び電磁波を含む。一時的なコンピュータ可読媒体は、電線及び光ファイバなどの有線通信路、又は無線通信路を介して、プログラムをコンピュータに供給できる。
【００６１】
ＲＡＭ５４０は、揮発性の記憶装置である。ＲＡＭ５４０には、ＤＲＡＭ（Dynamic Random Access Memory）又はＳＲＡＭ（Static Random Access Memory）などの各種半導体メモリデバイスが用いられる。ＲＡＭ５４０は、データなどを一時的に格納する内部バッファとして用いられ得る。プロセッサ５１０は、記憶部５２０又はＲＯＭ５３０に格納されたプログラムをＲＡＭ５４０に展開し、実行する。プロセッサ５１０がプログラムを実行することで、例えば図３に示される独自アプリ１５２、ＣａｌｌＫｉｔ１５３などの機能が実現される。
【００６２】
なお、上記実施形態では、本開示がナースコールに適用される例を説明したが、本開示はこれには限定されない。本開示は、ナースコール以外の種々の電話システムにも適用可能である。また、上記実施形態では、電話着信がナースコールなどの内線電話からの着信である例を説明したが、本開示は内線電話に限定されることはない。本開示は、発信者情報が着信信号に含まれていれば外線電話からの着信にも適用可能である。
【００６３】
以上、本開示の実施形態を詳細に説明したが、本開示は、上記した実施形態に限定されるものではなく、本開示の趣旨を逸脱しない範囲で上記実施形態に対して変更や修正を加えたものも、本開示に含まれる。
【００６４】
例えば、上記の実施形態の一部又は全部は、以下の付記のようにも記載され得るが、以下には限られない。
【００６５】
［付記１］
電話着信があった場合に、発信者番号、発信者情報、及び鳴動種別情報を含む着信信号を受信する着信信号受信手段と、
前記着信信号受信手段が受信した着信信号に基づいて、前記着信信号に含まれる前記発信者情報の少なくとも一部を文字情報として含む発信者情報画像を生成する画像生成手段と、
前記発信者情報及び前記鳴動種別情報の少なくとも一方に基づいて発信者テキスト情報を生成し、前記発信者番号、前記発信者テキスト情報、及び前記発信者情報画像を、携帯端末装置内で管理される電話帳に登録する電話帳登録手段と、
前記発信者番号を受け取り、該受け取った発信者番号に対応して登録されている前記発信者テキスト情報及び前記発信者情報画像を前記電話帳から取得し、前記発信者テキスト情報及び前記発信者情報画像を含む着信画面を表示する着信画面表示手段とを有する携帯端末装置。
【００６６】
［付記２］
前記電話帳には、前記鳴動種別情報に対応した複数の電話帳データテンプレートが登録されており、
前記電話帳登録手段は、前記複数の電話帳データテンプレートから前記着信信号に含まれる前記鳴動種別情報に対応する電話帳データテンプレートを選択し、該選択した電話帳データテンプレートに前記発信者番号、前記発信者テキスト情報、及び前記発信者情報画像を登録する付記１に記載の携帯端末装置。
【００６７】
［付記３］
前記複数の電話帳データテンプレートのそれぞれには、個別に着信音設定がなされている付記２に記載の携帯端末装置。
【００６８】
［付記４］
前記電話帳登録手段は、電話着信に対する通話の終了後、前記電話帳データテンプレートから前記登録した前記発信者番号、前記発信者テキスト情報、及び前記発信者情報画像を削除する付記２又は３に記載の携帯端末装置。
【００６９】
［付記５］
前記画像生成手段は、前記鳴動種別情報に応じた表示色で、前記発信者情報画像を生成する付記１から４何れか１つに記載の携帯端末装置。
【００７０】
［付記６］
前記発信者情報は、発信者の名称、及び電話着信に対応する呼出しが発生した場所を示す情報の少なくとも一方を含む付記１から５何れか１つに記載の携帯端末装置。
【００７１】
［付記７］
前記電話着信は、ナースコールシステムにおけるナースコール子機からの着信であり、前記発信者情報は、発信者の名称、前記ナースコール子機が設置される場所を示す情報、及び前記発信者の診療科目を示す情報の少なくとも１つを含む付記１から５何れか１つに記載の携帯端末装置。
［付記８］
前記着信画面表示手段の機能は、通話機能を使用するアプリケーション間の競合を管理する機能、及びセキュリティロック中の着信を可能とする機能を提供するフレームワークの機能の一部として提供される付記１から７何れか１つに記載の携帯端末装置。
［付記９］
プロセッサと、
メモリとを有し、
前記プロセッサは、前記メモリから読み出したプログラムを実行することで、
電話着信があった場合に、発信者番号、発信者情報、及び鳴動種別情報を含む着信信号を受信し、前記受信した着信信号に基づいて、前記着信信号に含まれる前記発信者情報の少なくとも一部を文字情報として含む発信者情報画像を生成し、
前記発信者情報及び前記鳴動種別情報の少なくとも一方に基づいて発信者テキスト情報を生成し、
前記発信者番号、発信者テキスト情報、及び前記発信者情報画像を、携帯端末装置内で管理される電話帳に登録し、
前記発信者番号に対応して登録されている前記発信者テキスト情報及び前記発信者情報画像を前記電話帳から取得し、
前記発信者テキスト情報及び前記発信者情報画像を含む着信画面を表示する携帯端末装置。
【００７２】
［付記１０］
電話着信があった場合に、発信者番号、発信者情報、及び鳴動種別情報を含む着信信号を受信し、前記受信した着信信号に基づいて、前記着信信号に含まれる前記発信者情報の少なくとも一部を文字情報として含む発信者情報画像を生成し、
前記発信者情報及び前記鳴動種別情報の少なくとも一方に基づいて発信者テキスト情報を生成し、
前記発信者番号、前記発信者テキスト情報、及び前記発信者情報画像を、携帯端末装置内で管理される電話帳に登録し、
前記発信者番号に対応して登録されている前記発信者テキスト情報及び前記発信者情報画像を前記電話帳から取得し、
前記発信者テキスト情報及び前記発信者情報画像を含む着信画面を表示する着信画面表示方法。
【００７３】
［付記１１］
前記電話帳に登録されている複数の電話帳データテンプレートから前記着信信号に含まれる前記鳴動種別情報に対応する電話帳データテンプレートを選択し、該選択した電話帳データテンプレートに前記発信者番号、前記発信者テキスト情報、及び前記発信者情報画像を登録する付記１０に記載の着信画面表示方法。
【００７４】
［付記１２］
前記複数の電話帳データテンプレートのそれぞれには、個別に着信音設定がなされている付記１１に記載の着信画面表示方法。
【００７５】
［付記１３］
電話着信に対する通話の終了後、前記電話帳データテンプレートから前記登録した前記発信者番号、前記発信者テキスト情報、及び前記発信者情報画像を削除する付記１１又は１２に記載の着信画面表示方法。
【００７６】
［付記１４］
前記鳴動種別情報に応じた表示色で、前記発信者情報画像を生成する付記１０から１３何れか１つに記載の着信画面表示方法。
【００７７】
［付記１５］
前記発信者情報は、発信者の名称、及び電話着信に対応する呼出しが発生した場所を示す情報の少なくとも一方を含む付記１０から１４何れか１つに記載の着信画面表示方法。
【００７８】
［付記１６］
前記電話着信は、ナースコールシステムにおけるナースコール子機からの着信であり、前記発信者情報は、発信者の名称、前記ナースコール子機が設置される場所を示す情報、及び前記発信者の診療科目を示す情報の少なくとも１つを含む付記１０から１４何れか１つに記載の着信画面表示方法。
【００７９】
［付記１７］
電話着信があった場合に、発信者番号、発信者情報、及び鳴動種別情報を含む着信信号を受信し、前記受信した着信信号に基づいて、前記着信信号に含まれる前記発信者情報の少なくとも一部を文字情報として含む発信者情報画像を生成し、
前記発信者情報及び前記鳴動種別情報の少なくとも一方に基づいて発信者テキスト情報を生成し、
前記発信者番号、前記発信者テキスト情報、及び前記発信者情報画像を、携帯端末装置内で管理される電話帳に登録し、
前記電話帳から情報を取得して着信画面を生成し、該着信画面を表示するフレームワークに、前記発信者番号に対応して登録されている前記発信者テキスト情報及び前記発信者情報画像を前記電話帳から取得させ、前記発信者テキスト情報及び前記発信者情報画像を含む着信画面を表示させる処理をプロセッサに実行させるプログラム。
【００８０】
［付記１８］
前記電話帳に登録されている複数の電話帳データテンプレートから前記着信信号に含まれる前記鳴動種別情報に対応する電話帳データテンプレートを選択し、該選択した電話帳データテンプレートに前記発信者番号、前記発信者テキスト情報、及び前記発信者情報画像を登録する付記１７に記載のプログラム。
【００８１】
［付記１９］
前記複数の電話帳データテンプレートのそれぞれには、個別に着信音設定がなされている付記１８に記載のプログラム。
【００８２】
［付記２０］
電話着信に対する通話の終了後、前記電話帳データテンプレートから前記登録した前記発信者番号、前記発信者テキスト情報、及び前記発信者情報画像を削除する付記１８又は１９に記載のプログラム。
【００８３】
［付記２１］
前記鳴動種別情報に応じた表示色で、前記発信者情報画像を生成する付記１７から２０何れか１つに記載のプログラム。
【００８４】
［付記２２］
前記発信者情報は、発信者の名称、及び電話着信に対応する呼出しが発生した場所を示す情報の少なくとも一方を含む付記１７から２１何れか１つに記載のプログラム。
【００８５】
［付記２３］
前記電話着信は、ナースコールシステムにおけるナースコール子機からの着信であり、
前記発信者情報は、発信者の名称、前記ナースコール子機が設置される場所を示す情報、及び前記発信者の診療科目を示す情報の少なくとも１つを含む付記１７から２１何れか１つに記載のプログラム。
【符号の説明】
【００８６】
１０：携帯端末装置
１１：着信信号受信手段
１２：画像生成手段
１３：電話帳登録手段
１４：電話帳
１５：着信画面表示手段
１００：ナースコールシステム
１０１：ナースコール子機
１０２：ナースコール親機
１０３：ナースコール制御機
１０４：構内交換機
１０５：アクセスポイント
１５０：携帯端末装置
１５１：ＯＳ
１５２：独自アプリ
１５３：ＣａｌｌＫｉｔ
１５４：電話帳
１５５：ナースコール着信処理部
１５６：着信信号受信部
１５７：登録データ生成部
１５８：電話帳操作部
１５９：ＣａｌｌＫｉｔ操作部
１６０：ネットワークインタフェース
１６１：外部インタフェース
【図１】
2020161967.tif 000003
【図２】
2020161967.tif 000004
【図３】
2020161967.tif 000005
【図４】
2020161967.tif 000006
【図５】
2020161967.tif 000007
【図６】
2020161967.tif 000008
【図７】
2020161967.tif 000009